(57)【要約】中ー高圧インバータのためのパワーキャビネットである。パワーキャビネット(１００)は、キャビネットハウジング(１１０)と、パワーモジュール(２１０，２２０，２３０)を装着するためのラック(１２０)とを有し、このラック(１２０)は、少なくとも１対の起立ビーム(１２１)と、対をなした起立ビームに配置された摺動レール(１２３)とを有し、複数のパワーモジュール(２１０，２２０，２３０)を収容するためのスペースのカラムが、少なくとも１対の起立ビームにより形成され、又摺動レール(１２３)が、パワーモジュール(２１０，２２０，２３０)を支持するために使用される。【選択図】図１
2016535575.tif 000002
【特許請求の範囲】
【請求項１】
パワーキャビネットが、キャビネットハウジング(１００)と、パワーモジュールを装着するためのラック(１２０)とを具備し、このラック(１２０)は、少なくとも１対の起立ビーム(１２１)と、対をなした起立ビームに配置された摺動レール(１２３)とを有し、前記少なくとも１対の起立ビームは、複数のパワーモジュールを収容するためのスペースのカラムを少なくとも形成し、又前記摺動レールは、パワーモジュールを支持するために使用されることを特徴とする、ＭＶ／ＨＶ変換器のためのパワーキャビネット。
【請求項２】
前記ラックは、更に、パワーキャビネットの幅方向に配設された複数の水平ビーム(１２２)を有していることを特徴とする請求項１に係わるパワーキャビネット。
【請求項３】
前記複数の水平ビーム(１２２)には、これらの間に１又は３つのパワーモジュールが配設されることを特徴とする請求項２に係わるパワーキャビネット。
【請求項４】
ケーブルトレイ(１２８)が、前記水平ビーム(１２２)の上に配設されることを特徴とする請求項２に係わるパワーキャビネット。
【請求項５】
前記ラック(１２０)は、前記水平ビームにより、３列に分けられていることを特徴とする請求項４に係わるパワーキャビネット。
【請求項６】
前記パワーキャビネットには、制御分配器(１５０)が、設けられていることを特徴とする請求項１乃至５のいずれか１項に係わるパワーキャビネット。
【請求項７】
同じ位相を有する複数のパワーモジュールのための複数ケーブルは、キャビネットの前側から後ろ側に向かって長くなっていることを特徴とする請求項６に係わるパワーキャビネット。
【請求項８】
冷却用ファン(１４０)が、前記ハウジングの上に設けられていることを特徴とする請求項７に係わるパワーキャビネット。
【請求項９】
ストッパー(１２６)が、前記摺動レールの後端に設けられていることを特徴とする請求項８に係わるパワーキャビネット。
【発明の詳細な説明】
【技術分野】
【０００１】
本願発明は、変換器のためのパワーキャビネット、特に、ＭＶ／ＨＶ変換器のためのパワーキャビネットに関している。
【背景技術】
【０００２】
ＭＶ／ＨＶ変換器は、一般的にかなり大きく、変圧器キャビネット、インバータキャビネット、及び制御キャビネット、等を含んでいる。インバータキャビネット、特に、ＭＶ／ＨＶ変換器のためのキャビネットは、中のパワーモジュールの数が多い(big amount of )ことと、これの高パワーレベルとのために、非常に大きく、かなりのスペースを必要としている。パワーキャビネットの一般的な構造は、パワーモジュールのサイズが減少し、又、ケーブルのレイアウトが変わるような特別な要求を満たすことはできず、このために、新規なパワーキャビネットが、必要とされている。
【発明の概要】
【０００３】
本願は、パワーキャビネットが、キャビネットハウジングと、パワーモジュールを装着するためのラックとを具備し、このラックは、少なくとも１対の起立ビームと、対をなした起立ビームに配置された摺動レールとを有し、前記少なくとも１対の起立ビームは、複数のパワーモジュールを収容するための高さ方向に延びたスペースを少なくとも形成し、又前記摺動レールは、パワーモジュールを支持するために使用されることを特徴とする、ＭＶ／ＨＶ変換器のためのパワーキャビネットを、提案している。
【０００４】
一実施の形態に係われば、前記ラックは、更に、パワーキャビネットの幅方向に配設された複数の水平ビームを有している。  
一実施の形態に係われば、前記複数の水平ビームには、これらの間に１又は３つのパワーモジュールが配設される。  
一実施の形態に係われば、ケーブルトレイが、前記水平ビームの上に配設される。  
一実施の形態に係われば、前記ラックは、前記水平ビームにより、３列に分けられている。  
一実施の形態に係われば、前記パワーキャビネットには、制御分配器が設けられている。  
一実施の形態に係われば、同じ位相を有する複数のパワーモジュールのための複数ケーブルは、キャビネットの前側から後ろ側に向かって長くなっている。  
一実施の形態に係われば、冷却用ファンが、前記ハウジングの上に設けられている。  
一実施の形態に係われば、ストッパーが、前記摺動レールの後端に設けられている。  
本願の構造は、変換器のサイズを減じることと、変換器を最小かつコンパクトにするこことができる。
【図面の簡単な説明】
【０００５】
【図１】図１は、本願発明の一実施の形態に係わるパワーキャビネットの全体図を示している。
【図２】図２は、本願発明の一実施の形態に係わるパワーキャビネットの一部の拡大図を示している。
【図３】図３は、本願発明の一実施の形態に係わるパワーキャビネットの他の一部の拡大図を示している。
【図４】図４は、本願発明の一実施の形態に係わるパワーキャビネットの一部の上面図を示している。
【図５】図５は、本願発明の一実施の形態に係わるパワーキャビネットの一部の拡大側面図を示している。
【発明を実施するための形態】
【０００６】
以下に、図面を参照して本願の実施の形態が詳細に説明される。  
図１乃至４に示されているように、本願のパワーキャビネット１００は、キャビネットハウジング１１０と、複数のパワーモジュールを支持するためのラック１２０とを有している。このハウジング１１０は、外側のフレームと種々の側面に設けられたパネルとを有し、これらパネルの一部は、キャビネットの内部構造を示している図では、示されていない。前記ラック１２０は、ＰＥＢＢ（図４では、パワーモジュール２１０，２２０，２３０と称されている）のようなパワーモジュールを収容するための３列のスペースを形成するように、平行に配設された６対（合計で１２）の起立ビーム１２１１，１２１２，１２１３，１２１４、１２１５，１２１６（これらは、他の記載が無い限り、以下ではまとめて起立ビーム１２１と称されている）を有している。
【０００７】
ラック上にパワーモジュールをマウントし、又、他の構成に影響を与えないで、修理又は交換をするためのラックからのパワーモジュールの取り出しを容易にするために、本願は、図１に示されているように、対をなした起立ビーム１２１に、パワーモジュールを支持するための摺動レール１２３を配設することを提案している。例えば、摺動レール１２３６は、最も右側の１対の起立ビーム１２１６に装着され、一方摺動レール１２３５は、複数のパワーモジュールのカラムを収容するように、前記１対の起立ビーム１２１６とによりスペースを形成している１対の起立ビーム１２１５に装着されている。前記摺動レール１２３５と摺動レール１２３６とは、対をなし、上にパワーモジュール（図示されていない）を支持するように水平に配設されている。複数対の摺動レール１２３を装着させることにより、複数のパワーモジュールが、起立ビーム１２１間に支持され得る。例えば、９対の摺動レールは、９つのパワーモジュールを支持するように各２対の起立ビーム間に支持され得る。この結果、ラック１２０は、３つのカラムで合計２７つのパワーモジュールを支持することができる。勿論、起立ビームの数と、パワーモジュールの列の数とは、変換器のパワーレベルにより決定されることができ、又、実際の必要性に基づいて調節されることができることが、理解されるであろう。更に、前記記載では、パワーモジュールを収容するために、３列のスペースが、６対の起立ビームにより形成されているけれども、中間の２対のビームが共通して使用される、４対の起立ビームにより３列のスペースを形成することも可能である。更に、本願の構成は、パワーモジュールを収容するための３列のスペースが、３対の起立ビームにより形成されている、即ち、１つの摺動レール１２３が、２つの端部で２つのビームにより支持されているのに代えて、１つの起立ビームに片持ち支持されている場合にも適用可能である。
【０００８】
このような構成は、小型で軽いパワーモジュールに対して有効である。
【０００９】
本願発明の一実施の形態に係われば、水平ビーム１２２が、１又は３つのパワーモジュールが、２つの近接した水平モジュール間に位置するように、ラックに配設され得る。これら水平ビームの数は、パワーモジュールのサイズに基づいて決定され得る。これら水平ビームは、ラックに強度を持たせるために、ラックの前側と後側との両方に設けられ、上にケーブルトレイ１２８（図５に示されている）を取着可能である。図１に示されている実施の形態では、合計で６対（１２）の水平ビーム１２２が、６対の起立ビームで９つのブロックを形成するように、前後に配設されている。各列は、１つの位相を構成している。一般の構成と比較して、本願の構成は、変換器のサイズを減じることができると共に、変換器を最小且つコンパクトにすることができ。
【００１０】
図２は、本願発明の一実施の形態に係わるパワーキャビネットの一部の拡大図を示している。図２は、夫々のパワーモジュールを位置付けると共に、パワーモジュールの引き出し及び引き入れを容易にするように、ストッパー１２６が、摺動レール１２３の後端部に設けられていることを示している。このストッパー１２６は、摺動レール１２３とは、別体ではなく、これと一体的になされ得る。
【００１１】
図３は、本願発明の一実施の形態に係わるパワーキャビネットの他の一部の拡大図を示している。図３に示されているように、制御分配器１５０が、パワーキャビネットの内に、例えば、パワーキャビネットの中央の上側に配設されている。この制御分配器１５０は、光ファイバーを介して種々のパワーモジュールに接続されると共に、一連の通信用のインターフェイスを介して制御キャビネットに接続される。このような構成は、必要とされている光ファイバーの長さを減じ、又、ケーブルのレイアウトを便利にし、そして、パワーキャビネットを更にコンパクトにするための助けとなっている。
【００１２】
図４は、本願発明の一実施の形態に係わるパワーキャビネットの一部の上面図を示している。上述されたパワーモジュールで、同じ位相を有するパワーモジュールが、(銅のバスバーもしくはアルミニウムのバスバーのような)バスバーを介して垂直方向で接続されていると共に、ケーブルを介して変圧器キャビネットに接続されている。ケーブルのレイアウトを容易にし、組立プロセスを簡単にするために、本願は、同じ位相でのパワーモジュール間の接続のための階段状のレイアウトを、即ち、同じ位相でのパワーモジュール２３０，２２０、２１０の３つのカラムを夫々変圧器キャビネットに接続するために使用されるケーブル３３０，３２０，３１０は、パワーモジュールの前から後へと長くなり、この結果、パワーモジュールが引き出され又は引き入れられるときに、干渉が生じない、レイアウトを提案している。このような構造は、又、既存のデザインのような混雑しているのに代わって、整然としたレイアウトを可能にしている。図１に示されているように、ブラケット１６０が、ケーブル３３０，３２０，３１０を支持して取着させるために、変圧器キャビネットに近い側で、ラック１２０上に設けられ得る。
【００１３】
図５は、本願発明の一実施の形態に係わるパワーキャビネットの一部の拡大側面図を示している。図５に示されているように、ケーブルトレイ１２８が、パワーキャビネットを通過するケーブルを支持するように、夫々対をなした水平ビーム間に設けられ得る。これは、ケーブルのレイアウトを整然とさせることができると共に、全体に設備の安全レベルを改善することができる。このケーブルトレイ１２８の特定の数と位置とは、実際の必要に基づいて調節され得、これは、これ以上記載されない。更に、図１及び図３に示されているように、冷却ファン１４０が、パワーモジュールを冷却するために、他の入口と一緒になって空気路を形成するように、パワーキャビネットのハウジング上のような、パワーキャビネットの上に設けられている。
【００１４】
本願発明は、幾つかの好ましい実施の形態に基づいて説明されたけれども、当業者は、これら実施の形態が本願発明の範囲を限定するものではないことが、判るであろう。本願発明の精神及び理念から逸脱しないで、実施の形態に変形及び変更を加えることは、通常の知識及び当分野で理解できる範囲、かくして、添付の請求の範囲により規定されている本願発明の範囲内であろう。
【図１】
2016535575.tif 000003
【図２】
2016535575.tif 000004
【図３】
2016535575.tif 000005
【図４】
2016535575.tif 000006
【図５】
2016535575.tif 000007
【国際調査報告】
2016535575.tif 000008
2016535575.tif 000009
2016535575.tif 000010
2016535575.tif 000011